(57)【要約】【課題】  中古のパチンコ機やスロットマシンなどの遊技機の流通を迅速且つ安全に行う流通仲介システムの提供。【解決手段】  複数のユーザ端末３からネットワーク７を介して接続可能とされ、出品された中古遊技機についてオークションを行い落札者を決定する中古遊技機流通仲介システムである。パチンコ機またはパチスロ機などの機械区分、メーカ名、商品名、出品ごとに固有の商品番号により、出品情報の検索が可能である。各出品について、ユーザ端末３から購入希望価格を入力されることで、オークションがなされる。落札された中古遊技機は、出品者から一旦納入を受けた仲介者によって、Ｘ線レントゲン機などで確認、検査または整備がなされた後、落札者からの入金確認後に、仲介者から落札者へ発送される。【選択図】      図１
2006113980.tif 000002
【特許請求の範囲】
【請求項１】
携帯電話またはＰＨＳからなる複数のユーザ端末からネットワークを介して接続可能とされ、出品された中古遊技機についてオークションを行い落札者を決定する中古遊技機流通仲介システムであって、
出品された中古遊技機について、ユーザ端末からの閲覧、購入希望価格入力による入札、設定期間経過後の落札者決定が可能に構成され、
中古遊技機は、出品者から一旦納入を受けた仲介者によって、所定の確認、検査または整備がなされた後、落札者からの入金確認後に、仲介者から落札者へ発送される
ことを特徴とする中古遊技機流通仲介システム。
【請求項２】
複数のユーザ端末からネットワークを介して接続可能とされ、出品された中古遊技機についてオークションを行い落札者を決定する中古遊技機流通仲介システムであって、
一または複数の出品遊技機ごとに、出品識別符号、パチンコ機またはスロット機などの機械区分、メーカ名、および商品名を対応づけて記憶する出品情報記憶手段と、
機械区分、メーカ名、および商品名の内、いずれか一以上の指定された検索条件、または識別符号により指定された検索条件をユーザ端末から受信し、この検索条件に基づいて出品情報記憶手段を検索し、この検索条件に対応する出品遊技機を抽出して、この検索結果をユーザ端末へ送信する出品情報検索手段と、
この出品情報検索手段による検索結果に基づき特定される出品遊技機について、ユーザ端末から購入希望価格を受信し、購入希望の出品遊技機およびユーザと対応づけて記憶し、設定された期間内で購入希望価格の高いユーザを落札者と決定する入落札手段と
を備えることを特徴とする中古遊技機流通仲介システム。
【請求項３】
前記出品情報検索手段は更に、ユーザ端末からの指示に基づき、新着順の出品情報を出品情報記憶手段から取得してユーザ端末へ送信可能とされた
ことを特徴とする請求項２に記載の中古遊技機流通仲介システム。
【請求項４】
出品者から仲介者に一旦搬入される出品遊技機について、その基板のＲＯＭなどを検査するＸ線レントゲン機と、
このＸ線レントゲン機にて撮影された検査画像を、その出品遊技機と対応づけて記憶する検査画像記憶手段と、
ユーザ端末からの指示に基づき、前記検査画像を検査画像記憶手段から取得して、ユーザ端末へ送信する検査画像公開手段と
を更に備えることを特徴とする請求項２または請求項３に記載の中古遊技機流通仲介システム。
【請求項５】
前記入落札手段は、いずれかのユーザ端末から購入希望価格を受信することで、最初の入札を確認した出品遊技機について、その出品遊技機の出品者から仲介者への現物の搬出指示を、出品者のユーザ端末または所定の管理者端末へ送信する
ことを特徴とする請求項２から請求項４までのいずれかに記載の中古遊技機流通仲介システム。
【請求項６】
前記入落札手段は、購入希望価格を受信することで入札を確認すると、その入札をなしたユーザ端末へ、その入札した出品遊技機についてのそのユーザ専用の入札用ウェブページへのリンクを記載した電子メールを送信する
ことを特徴とする請求項２から請求項５までのいずれかに記載の中古遊技機流通仲介システム。
【請求項７】
前記出品情報記憶手段に登録する出品情報をユーザ端末から受信する出品情報受信手段を更に備え、
前記出品情報には、前記機械区分、メーカ名、および商品名の他、遊技機本体または遊技盤の別とその台数、複数台の場合にはバラ売りの可否やその条件、機械枠色、残債の有無、撤去状況、汚れ程度、ガラスの有無、最低入札額、出品機械の写真画像などの内、いずれか一以上の情報が含まれている
ことを特徴とする請求項２から請求項６までのいずれかに記載の中古遊技機流通仲介システム。
【発明の詳細な説明】
【技術分野】
【０００１】
本発明は、パチンコ機やスロットマシン（パチスロ機）などの遊技機の中古品を、売却または購入するのに利用される中古遊技機流通仲介システムに関するものである。
【背景技術】
【０００２】
近年、インターネットオークションが普及してきている。このインターネットオークションでは、出品者がパソコンから所定サーバにアクセスして、売りたい物品を登録して出品を行い、落札希望者はパソコンからオークションサイトにアクセスして、購入希望価格を入力して入札を行い、所定期間終了時点における最高価格を付けた落札希望者が落札する。落札後には、出品者と落札者との間で、直接にメールのやり取りを行い、落札者から出品者への代金の支払いと、出品者から落札者への商品の発送とが行われる。
【発明の開示】
【発明が解決しようとする課題】
【０００３】
しかしながら、従来のインターネットオークションは、基本的には、個人と個人間、または個人と商店間の取引に限られている。また、パチンコ機やスロットマシンなどの遊技機については、ＲＯＭの改造などの問題から、中古品の流通が行いにくく、従来のオークションでは対応できない。ところが、パチンコホールにおいては、遊技台の入れ換えは頻繁に行われるため、ホール同士で遊技機を融通し合うシステムがあれば好適である。
【０００４】
本発明は、上記事情に鑑みてなされてものであり、その主たる目的は、中古のパチンコ機やスロットマシンなどの遊技機の流通を迅速且つ安全に行うための中古遊技機流通仲介システムを提供することにある。
【課題を解決するための手段】
【０００５】
本発明は、前記課題を解決するためになされたもので、請求項１に記載の発明は、携帯電話またはＰＨＳからなる複数のユーザ端末からネットワークを介して接続可能とされ、出品された中古遊技機についてオークションを行い落札者を決定する中古遊技機流通仲介システムであって、出品された中古遊技機について、ユーザ端末からの閲覧、購入希望価格入力による入札、設定期間経過後の落札者決定が可能に構成され、中古遊技機は、出品者から一旦納入を受けた仲介者によって、所定の確認、検査または整備がなされた後、落札者からの入金確認後に、仲介者から落札者へ発送されることを特徴とする中古遊技機流通仲介システムである。
【０００６】
請求項１に記載の発明によれば、携帯電話またはＰＨＳを用いることで、いつでもどこからでも中古遊技機のオークションに参加できる。また、出品者から一旦納入を受けた仲介者によって、出品遊技機は所定の確認、検査または整備がなされるので、落札者は安心して遊技機を購入および使用できる。さらに、その仲介者から落札者への発送は、落札者からの入金確認後に行われるので、出品者も安心して出品および出荷できる。
【０００７】
請求項２に記載の発明は、複数のユーザ端末からネットワークを介して接続可能とされ、出品された中古遊技機についてオークションを行い落札者を決定する中古遊技機流通仲介システムであって、一または複数の出品遊技機ごとに、出品識別符号（出品ごとに固有の識別符号）、パチンコ機またはスロット機などの機械区分、メーカ名、および商品名を対応づけて記憶する出品情報記憶手段と、機械区分、メーカ名、および商品名の内、いずれか一以上の指定された検索条件、または識別符号により指定された検索条件をユーザ端末から受信し、この検索条件に基づいて出品情報記憶手段を検索し、この検索条件に対応する出品遊技機を抽出して、この検索結果をユーザ端末へ送信する出品情報検索手段と、この出品情報検索手段による検索結果に基づき特定される出品遊技機について、ユーザ端末から購入希望価格を受信し、購入希望の出品遊技機およびユーザと対応づけて記憶し、設定された期間内で購入希望価格の高いユーザを落札者と決定する入落札手段とを備えることを特徴とする中古遊技機流通仲介システムである。
【０００８】
請求項２に記載の発明によれば、出品識別符号、機械区分、メーカ名、または商品名を用いて、多数の出品遊技機から目的の遊技機を検索し、オークションに参加できる。なお、「機械区分」は、適宜に設定され、パチンコ機とスロットマシンとの区分けに限らず、パチンコＣＲ機、パチンコ現金機、またはスロットマシン（パチスロ機）による区分けなどでもよい。
【０００９】
請求項３に記載の発明は、請求項２に記載の構成要件に加えて、前記出品情報検索手段は更に、ユーザ端末からの指示に基づき、新着順の出品情報を出品情報記憶手段から取得してユーザ端末へ送信可能とされたことを特徴とする中古遊技機流通仲介システムである。
【００１０】
請求項３に記載の発明によれば、オークション参加者は、新着の出品情報の閲覧が可能となる。従って、更新情報の把握が容易となるだけでなく、最新の出品遊技機に対するオークションへの参加が容易となる。
【００１１】
請求項４に記載の発明は、請求項２または請求項３に記載の構成要件に加えて、出品者から仲介者に一旦搬入される出品遊技機について、その基板のＲＯＭなどを検査するＸ線レントゲン機と、このＸ線レントゲン機にて撮影された検査画像を、その出品遊技機と対応づけて記憶する検査画像記憶手段と、ユーザ端末からの指示に基づき、前記検査画像を検査画像記憶手段から取得して、ユーザ端末へ送信する検査画像公開手段とを更に備えることを特徴とする中古遊技機流通仲介システムである。
【００１２】
請求項４に記載の発明によれば、出品者から一旦納入を受けた仲介者によって、出品遊技機のＲＯＭなどの検査がＸ線レントゲン機にてなされる。そして、その検査画像は、ユーザ端末にて閲覧可能となる。このようにしてＲＯＭの改変などを発見できるので、中古遊技機でも安心して購入および使用できる。また、仲介者から落札者への発送は、落札者からの入金確認後に行えば、出品者の安心も得られる。なお、検査画像は、落札者のユーザ端末にだけ公開してもよいし、その他のユーザ端末へも公開してもよい。特に、入札可能期間が長く、その期間内に前記検査画像が取得できる場合には、その検査画像を入札前のユーザ端末から閲覧可能としてもよい。
【００１３】
請求項５に記載の発明は、請求項２から請求項４までのいずれかに記載の構成要件に加えて、前記入落札手段は、いずれかのユーザ端末から購入希望価格を受信することで、最初の入札を確認した出品遊技機について、その出品遊技機の出品者から仲介者への現物の搬出指示を、出品者のユーザ端末または所定の管理者端末へ送信することを特徴とする中古遊技機流通仲介システムである。
【００１４】
請求項５に記載の発明によれば、最初の入札が確認された時点で、その出品遊技機の出品者から仲介者への現物の搬出指示ができるので、仲介者における確認、検査または整備、さらにはその後の落札者への納品を速やかに行うことができる。
【００１５】
請求項６に記載の発明は、請求項２から請求項５までのいずれかに記載の構成要件に加えて、前記入落札手段は、購入希望価格を受信することで入札を確認すると、その入札をなしたユーザ端末へ、その入札した出品遊技機についてのそのユーザ専用の入札用ウェブページへのリンクを記載した電子メールを送信することを特徴とする中古遊技機流通仲介システムである。
【００１６】
請求項６に記載の発明によれば、ある出品遊技機に入札を行うと、その入札者によるその出品遊技機への再度の入札（価格上昇による購入希望価格の再設定）などは、そのユーザ専用のウェブページから簡易に行うことができる。つまり、初回の入札後に送信されてきた電子メールに記載のＵＲＬにアクセスするだけで、そのユーザ専用の入札画面を表示することができる。
【００１７】
請求項７に記載の発明は、請求項２から請求項６までのいずれかに記載の構成要件に加えて、前記出品情報記憶手段に登録する出品情報をユーザ端末から受信する出品情報受信手段を更に備え、前記出品情報には、前記機械区分、メーカ名、および商品名の他、遊技機本体または遊技盤の別とその台数、複数台の場合にはバラ売りの可否やその条件、機械枠色、残債の有無、撤去状況、汚れ程度、ガラスの有無、最低入札額、出品機械の写真画像などの内、いずれか一以上の情報が含まれていることを特徴とする中古遊技機流通仲介システムである。
【００１８】
請求項７に記載の発明によれば、オークションへの出品もユーザ端末を用いて、簡易に行うことができる。しかも、この出品の際に登録する情報に多様性を持たせることで、出品者と購入希望者との取引を一層円滑に行うことができる。
【発明の効果】
【００１９】
本発明によれば、中古のパチンコ機やスロットマシンなどの遊技機の流通を迅速且つ安全に行うことができる。
【発明を実施するための最良の形態】
【００２０】
以下、本発明の中古遊技機流通仲介システムの一実施例について、図面に基づき更に詳細に説明する。本実施例の中古遊技機流通仲介システムは、パチンコ機やパチスロ機（スロットマシン）などの遊技機の中古品を、パチンコホール同士などで互いに融通し合うために、オークションサイトを提供する。オークションサイトの運営者は、出品者と落札者との間の仲介者として、出品者から一旦納入を受けた現物を確認、検査、および整備などする。そして、落札者からの入金確認後に、仲介者は落札者へ現物の引渡しを行う。なお、本実施例では、仲介者はオークション運営者と同一主体であるが、仲介者はオークション運営者とは別主体であってもよい。
【００２１】
図１は、本発明の中古遊技機流通仲介システムの一実施例を示すシステム構成図である。本実施例の中古遊技機流通仲介システムは、オークションサイトを提供するサーバ１を主要部として備える。このサーバ１には、仲介者側のオペレータにより操作される管理者端末２が接続可能である。また、サーバ１には、オークションへ参加して出品または入札や落札などを希望するユーザ（パチンコホールの担当者など）により操作されるユーザ端末３が接続可能である。なお、図１では、ユーザ端末３は一台のみ示されているが、実際には、異なるユーザにより操作される複数のユーザ端末３が存在する。
【００２２】
ユーザ端末３は、携帯電話またはＰＨＳ（Personal Handyphone System）で構成される。本実施例のユーザ端末３は、インターネット接続機能を有する携帯電話であり、電子メールの送受信や、ウェブページの閲覧などが可能とされている。ウェブページの閲覧のために、ユーザ端末３にはＷＷＷブラウザが搭載されており、受信したＣ−ＨＴＭＬ（Compact Hyper Text Markup Language）ファイルなどに基づき、液晶画面上にウェブページを表示可能な構成である。なお、ユーザ端末３とサーバ１との間の通信は、リクエストとレスポンスの交信によってなされ、これによりたとえば、サーバ１からのウェブページ用ファイルをユーザ端末３にて閲覧可能となる。
【００２３】
サーバ１は、インターネット上のサーバであり、メールサーバとウェブサーバの機能を少なくとも備える。すなわち、サーバ１は、電子メールボックスを備え、電子メールの送受信が可能とされると共に、ユーザ端末３などに対しＣ−ＨＴＭＬファイルなどのウェブページ用ファイルの提供などが可能である。さらに、本実施例のサーバ１は、ＣＧＩプログラムなどを介して情報記憶手段に構築したデータベースなどのデータ登録用ファイルの操作が可能である。なお、前記ウェブページ用ファイルやデータ登録用ファイルは、サーバ１の情報記憶手段に保存されている。
【００２４】
ユーザ端末３を構成する携帯電話は、基地局４を介して携帯電話網５に接続可能である。携帯電話網５は、ゲートウェイ６を介してインターネット網７に接続可能である。従って、ユーザ端末３は、インターネットを介してサーバ１に接続可能であり、サーバ１のメールボックスとの間で、電子メールの送受信が可能である。また、ユーザ端末３は、サーバ１上のウェブページ用ファイルを閲覧可能であり、このウェブページを介してサーバ１上のデータベースの検索なども可能である。
【００２５】
本実施例の管理者端末２は、パソコン（パーソナルコンピュータ）から構成された端末装置である。すなわち、制御手段（ＣＰＵなど）、情報記憶手段（メモリやハードディスクなど）、キーボードやマウスなどの入力手段、液晶ディスプレイやプリンタなどの出力手段、更にはサーバ１との通信を可能にするためにモデムないしターミナルアダプターなどを備えて構成される。この管理者端末２には、メーラの他、ＷＷＷブラウザなどの所望のプログラムがインストールされている。管理者端末２のインターネットへの接続は、専用線であってもよいし、公衆電話回線などを介して行ってもよい。なお、本実施例の管理者端末２は、インターネット７を介してサーバ１に接続されるが、インターネットではなくＬＡＮを介してサーバ１に接続してもよい。
【００２６】
管理者端末２は、電子メールの送受信が可能である。この電子メールは、本システムのサーバ１のメールボックスを利用できるが、所望により、異なるサーバのメールボックスも利用できる。また、管理者端末２は、サーバ１上のウェブページを閲覧可能であり、このウェブページなどを介してサーバ１上のデータベースの操作が可能である。
【００２７】
図２から図４は、本実施例のサーバ１が提供するオークションサイトに接続したユーザ端末３における画面の遷移図であり、図３における丸付符号ＸおよびＹの位置を、それぞれ図２における丸付符号Ｘと図４における丸付符号Ｙの位置に合わせて連結することで、一枚の画面遷移図となる。この図２から図４の画面遷移図は、オークションサイトのトップ画面から入札までの流れの一例を示している。
【００２８】
本実施例のオークションサイトを利用しようとするユーザは、自己のユーザ端末３を用いて、所定ＵＲＬへアクセスしてサーバ１に接続する。その際、カメラ付き携帯電話からなるユーザ端末３にて、所定の二次元バーコードを撮影してＵＲＬを取得するか、あるいは所定のＵＲＬを直接入力してサーバ１にアクセスする。これにより、図２に示すように、ユーザ端末３には、トップ画面ａが表示され、所定の操作によりメニュー画面ｂへ移行できる。このメニュー画面ｂでは、入札用の「オークションに参加」、出品用の「オークションに出展」、出品や入札するための「会員登録」、その「退会」などのメニューが表示され、そのいずれか一の選択が可能とされている。
【００２９】
本実施例では、会員登録しなくても所定の画面まで閲覧が許可されているが、実際に出品または入札するには会員登録が要求される。従って、本実施例のオークションへ参加しようとする者は、まず「会員登録」を選択する。図５は、会員登録の流れを示すユーザ端末３の画面遷移図である。メニュー画面ｂにおいて「会員登録」を選択すると、ユーザ端末３にはサイトポリシー画面ｃが表示される。サイトポリシーに「同意します」を選択すると、メーラ画面ｄを介して、ユーザ端末３からサーバ１へ空メール（本文のない電子メール）が送信される。ユーザ端末３から空メールを受信したサーバ１は、そのユーザ端末３の電子メールアドレスを取得すると共に、その電子メールアドレスへ向けて、会員登録画面ｆのＵＲＬへのリンクを付けた電子メールを返信する。
【００３０】
この返信を受けたユーザ端末３のユーザは、その返信メール画面ｅを確認した後、そのメールに記載のＵＲＬへアクセスすればよい。これにより、会員登録画面（会員登録フォーム）ｆが表示されるので、指示に従い入力や選択をした後、「登録」を選択すればよい。これにより、前記会員登録フォームにて入力または選択された情報が、サーバ１に送信される。これら情報を受信したサーバ１は、その情報を会員情報データベースに登録する。
【００３１】
図６は、管理者端末２における画面遷移図であり、サーバ１の会員情報データベースへアクセスする場合を示している。会員情報データベースに登録される情報は、適宜に設定されるが、本実施例では図６に示すように、会員ごとに固有の番号で会員登録に伴い自動で付与される会員番号の他、その所在、法人名（加盟団体名およびホール名）、電話番号、登録者名（オークション担当者）、役職、携帯電話番号、電子メールアドレス、パスワード、郵便番号、住所が含まれる。これら会員情報は、前記会員登録画面ｆを介して取得され、一つのレコード単位としてユーザ（会員）ごとに管理される。なお、電子メールアドレスについては、ユーザ端末３からの前記空メールから取得することもできる。
【００３２】
なお、本実施例では図５に示すように、会員情報データベースに登録があると、その旨、オペレータ宛てに電子メールが送信される。オペレータは、管理者端末２においてこの電子メールを受信すると、サーバ１にアクセスして会員情報データベースを検索して当該登録情報を閲覧できる。そして、その新規登録者の電話番号に基づき電話をかけ、登録確認を行う。その上で、正規に登録すべきと判断すれば「登録許可」を行う。これにより、登録申請のあった前記ユーザ端末３に電子メールが送信され、登録完了が通知される（画面ｇ）。このようにして、会員登録を行ったユーザは、サーバ１にアクセスして、所定の認証後、オークションへの出品や、入札および落札が可能となる。
【００３３】
まず、オークションへの出品を行おうとする場合について説明する。図７は、オークションへの出品依頼をユーザ端末３にて行っている状態を示す画面遷移図であり、同図右側の大きい画面は、管理者端末２による出品情報データベース（出品情報記憶手段）の更新作業を示している。この図に示すように、オークションへ出品を行おうとする場合、メニュー画面ｂにおいて「オークションに出展」を選択すればよい。この選択を受信したサーバ１は、ユーザ端末３の認証を行う。すなわち、ユーザ端末３には、ログイン画面ｈが表示されるので、所望の認証情報を入力または選択すればよい。ここでは、携帯電話番号とパスワードを入力して、「ログイン」ボタンを選択すればよい。これにより、これら認証情報がサーバ１に送信される。なお、パスワードは、会員登録に伴い設定されるものである。
【００３４】
ユーザ端末３から認証情報を受信したサーバ１は、それら情報を用いてユーザ端末３の認証を行う。ここでは、受信した携帯電話番号とパスワードが対応したものであるか否かが、会員情報データベースを検索して確認される。そして、正規の会員と認証された場合に限って、出品情報入力画面ｉのウェブページ用ファイルをユーザ端末３へ返信する。これにより、ユーザ端末３には、出品情報入力画面ｉが表示される。
【００３５】
出品情報は、適宜に設定されるが、ここではサイト表示の有無、入札完了の有無、商品番号、機械区分、最低入札額、入札締切日、商品名、メーカ名、バラ売りの可否（およびその条件）、遊技機本体または遊技盤の別とその台数、残債の有無、撤去状況、汚れ程度、スペック（機械枠色）、ガラスの有無、出品遊技機の写真画像が含まれる。なお、商品番号は、出品ごとに固有の識別符号である。また、機械区分は、パチンコＣＲ機、パチンコ現金機、スロットマシンなどの種別を識別するために付される。また、撤去状況は、出品遊技機が既に店頭から外されているのか、それともいつ外されるのかの情報である。汚れ程度は、たとえば、Ａ（中古機のため基本的には付与しない）、Ｂ（まずまず良い）、Ｃ（釘の変色少々あり、またセルおよび払い出し受け皿の汚れ少々）、Ｄ（釘、セル、受け皿、グリップまわり、灰皿などの汚れおよび損傷あり）で評価する。写真画像は、画像ファイル名をデータベースに登録して管理される。このような出品情報は、出品ごと（一または複数の同種の中古遊技機ごと）に、一つのレコードとして出品情報データベースに登録される。
【００３６】
出品情報データベースへの出品情報の登録は、前記出品情報入力画面ｉを介してなされる。図７の画面例では、機械区分、商品名、メーカ名、本体またはセル（遊技盤）の台数、機械枠色、バラ売りの可否、バラ売りが可能な場合の条件、残債の有無、撤去状況、ガラスの有無、汚れ程度、一台当たりの最低入札価格が入力または選択される。そして、「送信する」ボタンを選択すると、その入力または選択された出品情報がサーバ１に送信される。
【００３７】
ユーザ端末３からの出品情報は、それを受信したサーバ１において、直ちに出品情報データベースを更新してもよいが、本実施例ではオペレータを介して、出品情報データベースの更新がなされる。すなわち、出品情報入力画面ｉにてユーザ端末３から入力された出品情報は、オペレータ宛ての電子メールで送信される。オペレータは、サーバ１などを介して前記電子メールを管理者端末２で受信する。そして、その受信した出品情報に基づき、管理者端末２上の表計算ソフトまたはデータベースを更新し、さらにサーバ１上の出品情報データベースを更新する。サーバ１上の出品情報データベースは、ユーザ端末３からの出品依頼ごとに逐一行ってもよいが、ある時刻や件数ごとにまとめて、バッチ処理にて更新してもよい。
【００３８】
次に、オークションへの出品情報を閲覧し、所望の出品遊技機を探し、それに対し入札を行う場合について説明する。この場合、図２の前記メニュー画面ｂにおいて、「オークションに参加」ボタンを選択すればよい。これにより、サーバ１の出品情報検索手段を介して、出品遊技機の検索が可能となる。そのために、まずユーザ端末３には検索方法指定画面ｊが表示される。ここでは、まず機械区分（パチンコＣＲ機、パチンコ現金機、スロット）を選択した上で、メーカ名、商品名または新着順にて、出品情報の検索が可能である。あるいは、出品ごとに固有の商品番号からの検索も可能である。ここでは、機械区分として、「パチンコＣＲ機」が選択された場合について説明するが、他の区分が選択された場合も同様である。
【００３９】
図３に示すように、メーカ名から検索したい場合、検索方法指定画面ｊにて「メーカ名で選ぶ」を選択すればよい。これにより、あいうえお順のメーカ一覧画面ｋ１が表示されるので、その内の一を選択すれば、その選択メーカの商品名一覧画面ｋ２へ移行する。この商品名一覧画面ｋ２にて所望の商品名を選択すれば、サーバ１はその商品名についての出品情報を出品情報データベースから抽出し、その検索結果一覧画面ｋ３をユーザ端末３へ返信する。
【００４０】
なお、検索方法指定画面ｊからメーカ一覧画面ｋ１への移動と、メーカ一覧画面ｋ１からその商品名一覧画面ｋ２への移動は、その都度出品情報データベースを検索しつつウェブページを作成してもよいし、予め設定されたテーブル（メーカ名とその商品名の対応テーブルなど）を利用してウェブページを作成してもよいし、予めリンクで関連付けた複数のウェブページを作成しておいて対応してもよい。このことは、商品名などからの検索方法においても同様であり、（検索条件を絞り込む）検索の中途までは、テーブルや予め作成したウェブページ間のリンクを利用し、最終段階で出品情報データベースを商品名などから検索するように構成できる。
【００４１】
商品名から検索したい場合、検索方法指定画面ｊにて「商品名で選ぶ」を選択すればよい。これにより、５０音検索画面ｋ４が表示され、５０音のいずれかの選択が可能とされる。そして、５０音のいずれかの選択がなされると、その音を頭文字とする商品名一覧画面ｋ５へ移行する。この商品名一覧画面ｋ５にて所望の商品名を選択すれば、サーバ１はその商品名についての出品情報を出品情報データベースから抽出し、その検索結果一覧画面ｋ６をユーザ端末３へ返信する。
【００４２】
新着順に検索したい場合、検索方法指定画面ｊにて「新着順で選ぶ」を選択すればよい。これにより、サーバ１は、出品情報データベースを検索して、新着順に出品情報を抽出し、その検索結果一覧画面ｋ７、ｋ６へと進むことができる。この際、商品名ごとの新着情報を抽出可能とされている（画面ｋ７）。なお、新着情報の抽出は、たとえば商品番号を出品順のシリアル番号としておくことで達成される。
【００４３】
商品番号から直接検索したい場合、検索方法指定画面ｊにて、商品番号入力欄に直接商品番号を入力し、「検索」ボタンを押せばよい。前記各検索結果一覧画面ｋ３またはｋ６にて表示のいずれかの出品を指定することで、あるいは検索方法指定画面ｊにて商品番号を指定することで、サーバ１は対応する出品を特定し、その出品遊技機に対する入札情報の閲覧を可能とする。つまり、ユーザ端末３には入札情報画面ｌが表示される。
【００４４】
入札情報画面ｌでは、出品遊技機の機械区分および商品名、商品番号の他、現在の入札金額、入札締切までの日数や時間、出品情報データベースから取得される商品情報（たとえばメーカ名、台数、バラ売りの可否、撤去状況、汚れ程度、スペック、ガラスの有無、最低入札価格など）が表示される。また、「画像を見る」を選択すれば、それに基づき出品遊技機の写真画像を閲覧することもできる。そして、入札しようとするときは、「入札する」を選択すればよい。
【００４５】
「入札する」が選択されると、ユーザの認証のためのログイン画面ｍが表示されるので、所望の認証情報を入力または選択すればよい。ここでは、携帯電話番号とパスワードを入力して、「ログイン」ボタンを押せばよい。これにより、これら認証情報がサーバ１に送信される。ユーザ端末３から認証情報を受信したサーバ１は、それら情報を用いてユーザ端末３の認証を行う。ここでは、受信した携帯電話番号とパスワードが対応したものであるか否かが、会員情報データベースを検索して確認される。そして、正規の会員と認証された場合に限って、入札画面ｎのウェブページ用ファイルをユーザ端末３へ返信する。
【００４６】
ユーザは、入札画面ｎにて、入札に参加できる。ここでは、出品遊技機の機械区分および商品名、商品番号の他、入札金額や台数の入力または選択が可能とされる。入札金額または台数を指定した後、「入札する」ボタンを選択すれば、入札は完了である。これにより、この入札情報は、サーバ１に送信され、これを受信したサーバ１は、入札者の識別情報（会員番号など）、入札がなされた商品の識別情報（商品番号などの識別符号）、入札がなされた日時と入札金額とを対応させて、入札情報データベースへ登録する。
【００４７】
図８は、管理者端末２における画面遷移図であり、サーバ１の入札情報データベースへアクセスした場合の画面を示している。入札情報データベースには、出品ごとの入札履歴と落札者が管理される。管理者端末２では、図８に示すように、指定した出品に対する出品情報の他、入札情報として、入札日、入札価格、台数、入札した会員の会員番号、法人名、その電話番号、登録者名、携帯電話番号、メールアドレスが、出品情報データベースや会員情報データベースなどと連携しつつ閲覧可能である。
【００４８】
上述のように入札がなされると、サーバ１は、入札情報データベースの登録と共に、入札を行ったユーザのユーザ端末３に、入札確認の電子メールを送信する。この電子メールには、入札情報の確認表示がなされると共に、所定のＵＲＬへのリンクが記載されている。このＵＲＬへアクセスすると、そのユーザ専用の前記入札した出品遊技機に対する入札画面（入札情報画面ｌ）が表示可能とされる。この場合、そのユーザは、再度入札する場合には、ログインの必要がなく、直ちに入札が可能とされる。従って、前記入札した出品遊技機について、簡易に現在の価格を知ることができると共に、所望により金額を上げて再入札することもできる。このようにして入札がなされ、設定された期間終了時点における最高入札額を提示した者を落札者とサーバ１は決定する。サーバ１は、落札者のユーザ端末３に対しその旨、電子メールを送信して知らせる。なお、設定期間終了時に、全く入札されていない出品は、出品者にその旨電子メールで知らせ、希望に応じて継続的に出品可能である。
【００４９】
出品者と落札者との間の現物の引渡しは、仲介者を介して行うのが望ましい。出品者と仲介者は、落札決定承諾書を取り交わし、現物は一旦、仲介者が預かる。この際、検定通知書、機械番号表、保証証なども同時に、出品者から仲介者へ送付される。そして、仲介者において、現物と書類参照の上、所定の機械確認、整備点検、動作テストがなされる。その際、基板のＲＯＭやＣＰＵなどがＸ線レントゲン機にて透視検査される。そして、そのような確認や点検などがなされた遊技機などは、落札代金および仲介者への手数料が落札者から入金確認できた後、出品者へ引き渡される。その際、落札者と仲介者とは、落札決定承諾書を取り交わす。このようにして、出品者および落札者の双方にとって、安全な取り引きが可能である。
【００５０】
なお、入札後のキャンセルを原則禁止にしておけば、最初の入札があった時点で落札が予定されるので、その時点で出品者から仲介者への現物の搬入作業を開始するのがよい。そのために、最初の入札があると、その情報はサーバ１から、出品者のユーザ端末３および／または管理者端末２へ電子メールにて送信される。
【００５１】
また、Ｘ線レントゲン機による検査画像（レントゲン写真）は、管理者端末２を介してサーバ１の検査画像記憶手段に登録される。Ｘ線レントゲン機は、管理者端末２に接続されており、この管理者端末２を介して検査画像はサーバ１にアップロードされる。そして、サーバ１から落札者のユーザ端末３へ送信される電子メールには、アップロードされた落札遊技機の検査画像閲覧用ウェブページへのリンク（ＵＲＬ）が記載される。従って、落札者のユーザ端末３からそのＵＲＬへアクセスすることで、サーバ１は所定の検査画像をユーザ端末３へ送信して、ユーザは自己が落札した遊技機の検査画像を閲覧可能となる。なお、落札者への電子メールに検査画像を添付したり、または入札期間内であれば、前記出品画像と同様に、入札希望者から入札画面を介してオークションサイトにて検査画像を閲覧可能としてもよい。
【００５２】
なお、本発明の中古遊技機流通仲介システムは、上記実施例の構成に限らず、適宜変更可能である。特に、ユーザ端末３や管理者端末２の各画面は、一例であって適宜に変更可能である。また、サーバ１のデータベースにて管理する情報も適宜に変更される。さらに、上記実施例では、ユーザ端末３として携帯電話を用いたが、場合によってはパソコンなどをユーザ端末として用いるようにしてもよい。
【図面の簡単な説明】
【００５３】
【図１】本発明の中古遊技機流通仲介システムの一実施例を示すシステム構成図である。
【図２】本実施例のサーバが提供するオークションサイトに接続したユーザ端末における画面の遷移図であり、オークションサイトのトップ画面から入札までの流れの一例を示している。
【図３】図２の続きを示す画面遷移図である。
【図４】図３の続きを示す画面遷移図である。
【図５】会員登録の流れを示すユーザ端末の画面遷移図である。
【図６】管理者端末における画面遷移図であり、サーバの会員情報データベースへアクセスする場合を示している。
【図７】オークションへの出品依頼をユーザ端末にて行っている状態を示す画面遷移図であり、同図右側の大きい画面は、管理者端末による出品情報データベースの更新作業を示している。
【図８】管理者端末における画面遷移図であり、サーバの入札情報データベースへアクセスした場合の画面を示している。
【符号の説明】
【００５４】
１  サーバ
２  管理者端末
３  ユーザ端末（携帯電話など）
４  基地局
５  携帯電話網
６  ゲートウェイ
７  インターネット網
【図１】
2006113980.tif 000003
【図２】
2006113980.tif 000004
【図３】
2006113980.tif 000005
【図４】
2006113980.tif 000006
【図５】
2006113980.tif 000007
【図６】
2006113980.tif 000008
【図７】
2006113980.tif 000009
【図８】
2006113980.tif 000010